(57)【要約】      （修正有）【課題】多用途、低コスト、かさばらず、軽い災害用備品を提供する。【解決手段】多層構造の不織布からなるシート状の災害用備品１０、１１であって、その周囲に雄係合具２１〜２８と雌係合具３１〜３８の対からなる係合具の、雄係合具２１〜２８と雌係合具３１〜３８とを交互に複数設ける。長方形であって、短手方向、長手方向、それぞれについて雄係合具２１〜２８と雌係合具３１〜３８とがそれぞれ同数である。隣合う雄係合具２１〜２８と雌係合具３１〜３８との間の間隔が短手方向、長手方向のそれぞれについて、同一である。災害用備品１０、１１の表面は、不織布そのものが露出しており、多層構造の内側への通気性が良好である。災害用備品１０、１１を数回、折り曲げた状態で収納する気密性の袋をさらに有し、空気を抜いた状態で保管する。【選択図】図２
0003215746.tif 000002
【実用新案登録請求の範囲】
【請求項１】
多層構造の不織布からなるシート状の災害用備品であって、
その周囲に雄係合具と雌係合具の対からなる係合具の、雄係合具と雌係合具とを交互に複数設けたことを特徴とする災害用備品。
【請求項２】
前記災害用備品は、長方形であって、短手方向、長手方向、それぞれについて雄係合具と雌係合具とがそれぞれ同数であることを特徴とする請求項１に記載の災害用備品。
【請求項３】
隣合う前記雄係合具と前記雌係合具との間の間隔が前記短手方向、前記長手方向のそれぞれについて、同一であることを特徴とする請求項1又は２のいずれかに記載の災害用備品。
【請求項４】
前記災害用備品の表面は、不織布そのものが露出しており、前記多層構造の内側への通気性が良好であることを特徴とする請求項１から請求項３までのいずれか１項に記載の災害用備品。
【請求項５】
前記災害用備品を数回、折り曲げた状態で収納する気密性の袋をさらに有し、空気を抜いた状態で保管することを特徴とする請求項４に記載の災害用備品。
【請求項６】
表地、中地、裏地の３層構造の難燃ポリエステルの不織布からなるシート状の災害用備品であって、
洗濯なし、水洗い洗濯、ドライクリーニングいずれの状態でも防炎性能を有し、   その周囲に雄係合具と雌係合具の対からなるプラスチック製の係合具の、雄係合具と雌係合具とを交互に複数設け、当該災害用備品を二枚上下に重ねた際に前記雄係合具と前記雌係合具とが係合し、当該災害用備品一枚を折って重ねた際にも前記雄係合具と前記雌係合具とが係合するようにしたことを特徴とする災害用備品。
【請求項７】
前記表地と前記裏地は、それぞれが１平方メートルあたり６０グラムの難燃ポリエステルの不織布であり、前記中地は１平方メートルあたり４０グラムの難燃ポリエステルの不織布からなるものであることを特徴とする請求項６に記載の災害用備品。
【請求項８】
前記災害用備品は、１．４メートル×２．０メートルの長方形であって、重さが４５０グラムであり、短手方向、長手方向、それぞれについて雄係合具と雌係合具とがそれぞれ同数であり、   隣合う前記雄係合具と前記雌係合具との間の間隔が前記短手方向、前記長手方向のそれぞれについて、同一であることを特徴とする請求項６又は７のいずれかに記載の災害用備品。
【請求項９】
前記災害用備品の表面は、不織布そのものが露出しており、前記多層構造の内側への通気性が良好であり、保温率が５９％以上であることを特徴とする請求項６から請求項８までのいずれか１項に記載の災害用備品。
【請求項１０】
前記災害用備品を数回、折り曲げた状態で収納する気密性の袋をさらに有し、空気を抜いた状態で体積を４分の１にして保管することを特徴とする請求項９に記載の災害用備品。
【考案の詳細な説明】
【技術分野】
【０００１】
本考案は、寝袋として用いることができる災害用備品、とりわけその周辺に所定の間隔で雄係合具、雌係合具の対からなる係合具（プラスチックホック）を多数、雄、雌、交互に取りつけた不織布毛布に関する。
【背景技術】
【０００２】
特許文献１には、機能性担持不織布が開示されている。遠赤外線を放射する微粉末を塗布した不織布を縫い付けて寝袋状に形成するものである。
特許文献２には、多目的防災用品が開示されている。多層構造を備え、防寒着、寝袋、クッションとして兼用できる多目的防災用品である。
特許文献３には、遠赤外線放射体が開示されている。寝袋式全身温熱治療装置である。
特許文献４には、寝袋付担架が開示されている。面ファスナーを用いた寝袋付き担架である。
特許文献５には、射出成形されたプラスチックホックが開示されている。熱可塑性樹脂が射出成形されてなるプラスチックホックである。
特許文献６には、プラスチックホック成形体が開示されている。吸水時における物性、外観を優れたものとする。
特許文献７には、係合具が開示されている。ボタンに係合できる係合具である。
【０００３】
特許文献８には、布団カバーが開示されている。スナップ、プラスチックホック、アメリカンホック、ボタンとボタン穴を用いた布団カバーが開示されている。
特許文献９には、床ずれ防止マットが開示されている。エアーセルの両端部の固定にプラスチックホックを用いるものである。
特許文献１０には、子守帯が開示されている。プラスチックホックで係合するものである。
特許文献１１には、締結調整具が開示されている。帯体に雄、雌のプラホックを付けて、パンツなどの締結調整をするものである。
特許文献１２には、アキレス腱保護具が開示されている。金属ホックや、プラスチックホックで着脱自在とするものである。
特許文献１３には、フィルムハウスの多機能保持材が開示されている。嵌着具としてプラスチックホックを用いるものである。
【０００４】
特許文献１４には、矩形状の毛布本体の片面側の周縁部近傍に、接続部材として複数の面ファスナが設けられたものであり、面ファスナを介して２枚の毛布を重ね合わせて接続し、１枚の毛布として使用することができるものが開示されている。
特許文献１５には、長手方向の一端に開閉手段を備えてなる封筒型寝袋であって、この寝袋の前面寝袋構成体上部中央から長手方向に切り込み部を設けたものが開示されている。
特許文献１６には、上下に重ね合わせて結束することができる寝具であって、前記寝具の片面の周辺部において、着脱自在の雄型連結具と雌型連結具とを、寝具の中心に対して点対称の位置に配するものが開示されている。
特許文献１７には、展開した状態では掛け布団となる矩形状の本体部を有し、この本体部の長手方向の一側辺を除く三側辺には互いに着脱自在に連結されるホックが設けられ、上記本体部を長手方向中途部から２つに折り畳んで接合する一側辺部を除く三側辺部のホックを連結することで寝袋となり、寝袋の状態において、上側に位置する本体部の連結されていない側辺部の部分にはその側辺部に開放したスリットが形成されており、このスリットの両側部分は左右に折り曲げて保持できるものが開示されている。
特許文献１８には、中央の載置部と、前記載置部の両端に設けられた包み込み部から成る平面視四角形のバスタオルであり、四つ角部のうち、一方の対角に位置する部分に第１雄型ホックを、他方の対角に位置する部分に第１雌型ホックを、それぞれ取り付けてあり、更に前記第１雄型ホックから載置部側寄りに離れた位置に第２雌型ホックを、第１雌型ホックから載置部１側寄りに離れた位置に第２雄型ホックを、それぞれ取り付けたものが開示されている。
特許文献１９には、上掛け寝具の外層または内層に、通気性を大幅に低下させた層を入れるものが開示されている。
特許文献２０には、リン化合物がリン元素として対ポリマー重量で０．３〜１．５重量％共重合された難燃ポリエステル繊維にアルキル燐酸エステル第４級アンモニウム塩化合物を付与することを特徴とする難燃抗菌性ポリエステル繊維の製造方法が開示されている。
【先行技術文献】
【特許文献】
【０００５】
【特許文献１】特開２００７−１５２９２０号公報
【特許文献２】特開２０１３−０７６１８４号公報
【特許文献３】登録実用新案第３１３５０７４号公報
【特許文献４】登録実用新案第３１８３４４７号公報
【特許文献５】特開平０７−１８６２０８号公報
【特許文献６】特開２０１７−０２５１６６号公報
【特許文献７】特開２０１６−０７７８８２号公報
【特許文献８】特開平１０−０３３３４１号公報
【特許文献９】特開２００１−３３３９４２号公報
【特許文献１０】特開２００２−２８２０９７号公報
【特許文献１１】特開２００８−０９５２６４号公報
【特許文献１２】特開２００８−２６６８２４号公報
【特許文献１３】特開２０１０−０４６０５１号公報
【特許文献１４】登録実用新案第３００１０９８号公報
【特許文献１５】特開平１０−５１０１号公報
【特許文献１６】特開２００３−７０６０８号公報
【特許文献１７】特開２０００−１２６０１９号公報
【特許文献１８】登録実用新案第３１３３２５９号公報
【特許文献１９】実願平５−１４５５２号（実開平６−６８５６９号）のＣＤ−ＲＯＭ
【特許文献２０】特開平７−３０５２７９号公報
【考案の概要】
【考案が解決しようとする課題】
【０００６】
特許文献１、２、３、４に見られるように、不織布は、通気性、保温性にすぐれ、寝袋、防寒着などに用いられる。一方、特許文献５、６、７に見られるように雄係合具と雌係合具の対からなる係合具があり、とりわけプラスチックホック（プラホック）と呼ばれるものがある。そして、特許文献８、９、１０、１１、１２、１３に見られるように、布団カバー、床ずれ防止マット、子守帯、締結調整具、アキレス腱保護具、フィルムハウスなどに用いられている。
【０００７】
地震、洪水、大雨、山崩れなどの災害のために体育館などに避難して避難所生活を余儀なくされる際などに使用する災害用備品にあっては、毛布、防寒着、寝袋など、多用途に用いることのできるものが使い勝手がよいと本考案の考案者は考える。また、いざというときのために、地方自治体などが保管するには、軽いこと、かさばらないこと（保管スペースが小さくてよいこと）、低コストであることが望ましい。
【０００８】
本考案の目的は、多用途に用いることができ、低コストであり、保管にかさばらず、軽い災害用備品を提供することを目的とする。
【課題を解決するための手段】
【０００９】
本考案に係る災害用備品は、多層構造の不織布からなるシート状の災害用備品であって、その周囲に雄係合具と雌係合具の対からなる係合具の、雄係合具と雌係合具とを交互に複数設けたことを特徴とする。これにより、当該災害用備品を半分に折った状態、または、もう一枚の災害用備品と組み合わせた状態で係合することが可能になり、寝袋、防寒着、毛布などとしての利用が可能であり、保温性にすぐれる。
【００１０】
前記災害用備品は、長方形であって、短手方向、長手方向、それぞれについて雄係合具と雌係合具とがそれぞれ同数であることを特徴とする。これにより、一枚のものを折って重ね合せる場合、または二枚のものを向かい合わせて重ね合せる場合に、雄係合具と雌係合具とが向き合うので、係合が可能となる。
【００１１】
隣合う前記雄係合具と前記雌係合具との間の間隔が前記短手方向、前記長手方向のそれぞれについて、同一であることを特徴とする。これにより、隣り合う係合箇所同士の間隔が等しいので、たるみなどが生じず、整った状態で係合が可能となる。
【００１２】
前記災害用備品の表面は、不織布そのものが露出しており、前記多層構造の内側への通気性が良好であることを特徴とする。これにより、保温性にすぐれるのみならず、保管時においては、空気を追い出して容積を少なくした状態で保管が可能となる。
【００１３】
前記災害用備品を数回、折り曲げた状態で収納する気密性の袋をさらに有し、空気を抜いた状態で保管することを特徴とする。これにより、かさばらず、小さいスペースでより多くの備品を保管することが可能である。
【考案の効果】
【００１４】
本考案に係る災害用備品は、上述のように構成されているので、多用途に用いることができ、保温性にすぐれる。
【図面の簡単な説明】
【００１５】
【図１】本考案に係る災害用備品の斜視図（図１(a)）及び、部分断面図（図１(b)、図１(c)、図１(d)、図１(e)）である。
【図２】災害用備品を２枚用いて寝袋とする場合の使用状態を説明する図である。
【図３】災害用備品を１枚用いて寝袋とする場合の使用状態を説明する図である。
【図４】災害用備品を１枚用いて防寒着とする場合の使用状態を説明する図である。
【図５】袋に収納して保管する状態を説明する図である。
【図６】本発明に係る災害用備品について一般財団法人カケンテストセンターが検査した品質検査報告書である。保温率が５９．１％という結果が記載されている。
【図７】カケンテストセンターの試験証明書である。引張強さについて、カットストリップ法によって検査した結果、たて４０１、よこ３３８という結果が記載されている。
【図８】カケンテストセンターの試験証明書である。引張強さについて、ＪＩＳ  Ｌ  １９１３の試験方法によって検査した結果、たて４０１、よこ３３８という結果が記載されている。
【図９】公益財団法人日本防炎協会の防災製品認定書である。防災製品と認定された事実が記載されている。
【図１０】公益財団法人日本防炎協会の防炎製品性能試験結果通知書別記様式第二（その１）である。洗濯なし、水洗い、ドライクリーニング、いずれも適合である旨が記載されている。
【図１１】公益財団法人日本防炎協会の防炎製品性能試験結果通知書別記様式第二（その２）である。組織・番手・密度・質量などについて記載されている。
【図１２】公益財団法人日本防炎協会の防炎製品性能試験結果通知書別記様式第二（その３）である。４５°たばこ法、４５°コイル法による試験結果が記載されている。
【図１３】比較実験の結果を２枚重ねの場合について記載したものである。
【図１４】比較実験の結果を４枚重ねの場合について記載したものである。
【考案を実施するための形態】
【００１６】
以下、図面を参照しつつ本考案の実施形態について説明する。図中の符号が同一のものは、同様の構成、機能を有する。
【００１７】
図１は。本考案に係る災害用備品１０の斜視図（図１(a)）及び、部分断面図（図１(b)、図１(c)、図１(d)、図１(e)）である。
図１(a)の斜視図に示すように、災害用備品１０は、多層構造の不織布からなり、寝具として用いられる布団の大きさ、例えばシングル布団のサイズ（１．４メートル×２．０メートル）のシート状部材である。図１(b)に示すように、2枚の不織布１５，１６の間に保温材１２を挟んだものの周辺にへり材１９を設けた構造を有する。へり材１９は、例えば難燃性の化学繊維により構成することができる。ヘリ材１９は、不織布の周辺がほころびるのを防止するために設けられ、縫い合わせ、または接着する。
図１に示すように、２枚の不織布１５，１６の間に保温材を設ける代わりに、さらに２枚の不織布１３，１４をはさむことによって、追加の不織布２枚を保温材として用いてもよい。
【００１８】
図１(a)に描かれているように、災害用備品１０の周囲であって、ヘリ材１９に近い部分には、雄係合具２１，２２，２３，２４，２５．２６，２７，２８と、雌係合具３１，３２，３３．３４．３５，３６．３７．３８とが交互に並ぶように、複数、短辺、長辺それぞれの辺について等間隔に設けられている。
【００１９】
図１（ｄ）に描くように、雄係合具２１（，…，２８）は、たとえばプラスチックからなる二つの部材である雄係合具の頭部分２１ａ（，…，２８ａ）と雄係合具の尻部分２１ｂ（，…２８ｂ）とから構成される。雄係合具の頭部分２１ａと雄係合具の尻部分２１ｂとは、災害用備品１０の製造の際、取り付ける前においては、二つに分かれた部材である。災害用備品１０を構成する多層構造の不織布の、雄係合具を取り付ける箇所に（必要なら雄係合具の嵌合部オス２１ｃが通る穴をあけてから）、一方の面（表）と他方の面（裏）との両側から雄係合具の頭部分２１ａと雄係合具の尻部分２１ｂとを用いて災害用備品１０を挟み込むようにする。そして、雄係合具の嵌合部オス２１ｃを雄係合具の嵌合部メス２１ｄに嵌めこむ。この嵌め込み（嵌合）は、固く接合する（かしめる）。一旦嵌合したら、容易には外せないほどに強く嵌合させる。
【００２０】
その結果として、係合部オス２１ｅが露出する。
【００２１】
図１（ｅ）に描くように、雌係合具３１（，…，３８）は、たとえばプラスチックからなる二つの部材である雌係合具の頭部分３１ａ（，…，３８ａ）と雌係合具の尻部分３１ｂ（，…３８ｂ）とから構成される。雌係合具の頭部分３１ａと雌係合具の尻部分３１ｂとは、災害用備品１０の製造の際、取り付ける前においては、二つに分かれた部材である。災害用備品１０を構成する多層構造の不織布の、雌係合具を取り付ける箇所に（必要なら雌係合具の嵌合部オス３１ｃが通る穴をあけてから）、一方の面（表）と他方の面（裏）との両側から雌係合具の頭部分３１ａと雌係合具の尻部分３１ｂとを用いて災害用備品１０を挟み込むようにする。そして、雌係合具の嵌合部オス３１ｃを雌係合具の嵌合部メス３１ｄに嵌めこむ。この嵌め込み（嵌合）は、固く接合する（かしめる）。一旦嵌合したら、容易には外せないほどに強く嵌合させる。
【００２２】
その結果として、係合部メス３１ｅが露出する。
【００２３】
図１（ａ）において、係合部オス２１ｅ（，…，２８ｅ）、係合部メス３１ｅ（，…，３８）は、すべて上を向くように取り付けられている。係合部オス２１ｅと係合部メス３１ｅとは、係合が可能な形状、構造を有している。この係合は、前述した嵌合よりは弱い結びつきであり、災害用備品１０を用いる人が大人であっても、子供であっても、老人であっても、繰り返して嵌めたり、外したりすることが容易な程度である。
この係合の力が強すぎると、外すときに、災害用備品１０を構成する不織布の破れをもたらすおそれがある。したがって、係合部オス２１ｅと係合部メス３１ｅとの間の係合の力は、係合を外す際に不織布の破れを起こさない程度の大きさであることを要する。
【００２４】
≪災害用備品２枚を用いて上下に重ねる≫
図２は、災害用備品を２枚用いて寝袋とする場合の使用状態を説明する図である。図２（ａ）における災害用備品１０は、図１（ａ）と同一の向きに置かれている。すなわち、災害用備品１０の係合部オス２１ｅ（，…，２８ｅ）、係合部メス３１ｅ（，…，３８）は、すべて上を向いている。
災害用備品１１は、災害用備品１０と同一のものであり、向きが裏向きになっている。すなわち、災害用備品１１の係合部オス２１ｅ（，…，２８ｅ）、係合部メス３１ｅ（，…，３８）は、すべて下を向いている。この状態では、ちょうど雄係合具２１の係合部オス２１ｅと雌係合具３１の係合部メス３１ｅとが向き合う。同様に、雄係合具２２の係合部オス２２ｅと雌係合具３２の係合部３２ｅとが向き合い、雄係合具２３の係合部オス２３ｅと雌係合具３３の係合部３３ｅとが向き合い、雄係合具２４の係合部オス２４ｅと雌係合具３４の係合部３４ｅとが向き合い、雄係合具２５の係合部オス２５ｅと雌係合具３５の係合部３５ｅとが向き合い、雄係合具２６の係合部オス２６ｅと雌係合具３６の係合部３６ｅとが向き合い、雄係合具２７の係合部オス２７ｅと雌係合具３７の係合部３７ｅとが向き合い、雄係合具２８の係合部オス２８ｅと雌係合具３８の係合部３８ｅとが向き合う。
【００２５】
図２（ａ）に示すように、同一の構成を有する災害用備品２枚のうち、一枚を裏返すことで係合部オスと係合部メスとを向き合わせることができるためには、災害用備品１０は、長方形であって、短手方向、長手方向、それぞれについて雄係合具と雌係合具とがそれぞれ同数であり、交互に設けられていること、そして、雄係合具と雌係合具との間の間隔が短手方向、前記長手方向のそれぞれについて、同一であることが充たされていればよい。
【００２６】
向き合った係合部同士を係合させることで、人がゆったりと休むことができる寝袋を構成することができる。図２（ｂ）は、そのようにして構成した寝袋に人が休む状態を示している。前述したように、係合部を係合させたり外したりすることは、くりかえし何度でも可能であるような適切な強度に設定されている。
また、さらに望ましくは、使用する人の寝相が悪いために、災害用備品１０を構成する多層構造の不織布を破るほどの力が働く場合には、係合部の係合が外れることによって、不織布への破る力が働かないようにする程度に、係合部の係合の強度を弱く設定することが可能である。
【００２７】
≪災害用備品１枚を折って係合する≫
図３は、災害用備品１０を１枚用いて寝袋とする場合の使用状態を説明する図である。災害用備品１０は、上述したように短辺が１．４メートル、長辺が２メートルの寸法とすることができる。長手方向を折り目の方向として、二つ折りすると、０．７メートル×２メートルの大きさの寝袋を作ることができる。そのとき、図３（ａ）に示すように、災害用備品１０の雄係合具２１の係合部オス２１ｅと雌係合具３１の係合部メス３１ｅとを係合させ、雄係合具２２の係合部オス２２ｅと雌係合具３２の係合部メス３２ｅとを係合させ、雄係合具２３の係合部オス２３ｅと雌係合具３３の係合部メス３３ｅとを係合させ、雄係合具２４の係合部オス２４ｅと雌係合具３４の係合部メス３４ｅとを係合させ、雄係合具２５の係合部オス２５ｅと雌係合具３５の係合部メス３５ｅとを係合させ、雄係合具２６の係合部オス２６ｅと雌係合具３６の係合部メス３６ｅとを係合させ、雄係合具２７の係合部オス２７ｅと雌係合具３７の係合部メス３７ｅとを係合させ、雄係合具２８の係合部オス２８ｅと雌係合具３８の係合部メス３８ｅとを係合させる。季節の違いや、外気の温度の違いにより、係合させる係合具の数は、適宜調整可能である。図３（ｂ）には、人がその中にはいって休む様子が描かれている。寝袋の使用者が、足元から係合させていき、最後に肩のあたりの係合を行うことにより、自分でこの寝袋を形成させることが可能である。
【００２８】
≪災害用備品１枚を折って１メートル×１．４メートルの寝袋とする≫
折り目方向を短手方向とすることにより、災害用備品１０を１枚用いて短辺が１メートル、長辺が１．４メートルの寝袋をつくることもできる。子供の使用に適していると考えられる。このとき、災害用備品１０の雄係合具２１の係合部オス２１ｅと雌係合具３５の係合部メス３５ｅとを係合させ、雄係合具２２の係合部オス２２ｅと雌係合具３６の係合部メス３６ｅとを係合させ、雄係合具２３の係合部オス２３ｅと雌係合具３７の係合部メス３７ｅとを係合させ、雄係合具２４の係合部オス２４ｅと雌係合具３８の係合部メス３８ｅとを係合させ、雄係合具２５の係合部オス２５ｅと雌係合具３１の係合部メス３１ｅとを係合させ、雄係合具２６の係合部オス２６ｅと雌係合具３２の係合部メス３２ｅとを係合させ、雄係合具２７の係合部オス２７ｅと雌係合具３３の係合部メス３３ｅとを係合させ、雄係合具２８の係合部オス２８ｅと雌係合具３４の係合部メス３４ｅとを係合させる。係合させる係合具の数は、適宜調整可能である。
【００２９】
≪防寒着として用いる≫
図４は、災害用備品１０を１枚用いて防寒着とする場合の使用状態を説明する図である。図４（ａ）のように、一人で着るように用いることが可能である。雄係合具の係合部オスと、雌係合具の係合部メスとを適宜係合させて使用できる。また、図４（ｂ）のように、二人で寄り添って一緒に用いることもできる。さらに、ポンチョのように着ることや、腰に巻いて利用するなどの他の使用形態も可能である。
【００３０】
≪保管する際の密封袋≫
図５は、災害用備品１０を密封袋５０に収納して保管する状態を説明する図である。図５（ａ）は、災害用備品１０を何度か折りたたんだ状態を示している。図５（ｂ）は、折りたたんだ災害用備品を密封袋に入れて空気を抜いて真空（に近い）状態にして保管することができることを示している。
密封袋にいれて、空気を抜いて容積を減らして保存すると、体積を4分の１ほどにできるので、省スペースの状態で保管が可能である。一方、使用時は、空気が入るので保温効果がある。密封袋に入れて未使用の状態で保存する場合、450グラムほどの軽さとすることができる。
また、一旦開封してからであっても、密封袋をある程度余裕をもった大きさにしておけば、当該密封袋を再利用して、保存することもできる。密封袋に繰り返し何度でも開けたり閉めたりできる封印具を取り付けることも可能である。
【００３１】
≪本発明に係る災害用備品のその他の効果≫
災害用備品１０は、多層構造の不織布からなるので、使用時の寝返りの際でもがさがさと音が出ない。
図６から図１４までに公的機関による試験結果を示す。
図６は、本発明に係る災害用備品について一般財団法人カケンテストセンターが検査した品質検査報告書である。保温率が５９．１％という結果が記載されている。
図７は、カケンテストセンターの試験証明書である。引張強さについて、カットストリップ法によって検査した結果、たて４０１、よこ３３８という結果が記載されている。
図８は、カケンテストセンターの試験証明書である。引張強さについて、ＪＩＳ  Ｌ  １９１３の試験方法によって検査した結果、たて４０１、よこ３３８という結果が記載されている。
図９は、公益財団法人日本防炎協会の防災製品認定書である。防災製品と認定された事実が記載されている。
図１０は、公益財団法人日本防炎協会の防炎製品性能試験結果通知書別記様式第二（その１）である。洗濯なし、水洗い、ドライクリーニング、いずれも適合である旨が記載されている。
図１１は、公益財団法人日本防炎協会の防炎製品性能試験結果通知書別記様式第二（その２）である。組織・番手・密度・質量などについて記載されている。
図１２は、公益財団法人日本防炎協会の防炎製品性能試験結果通知書別記様式第二（その３）である。４５°たばこ法、４５°コイル法による試験結果が記載されている。
【００３２】
≪３枚重ねの臨界的意義を示すための比較実験≫
図１３と図１４とは、比較実験の結果を示すものである。本考案に係る災害用備品は、表地、中地、裏地の３層構造（３枚重ね）とすることが望ましい。この臨界的意義について、説明すべく、「一般財団法人カケンテストセンター」に依頼して試験をしてもらった結果を示すのが、図１３と図１４とである。図１３は、２枚重ねについての試験結果を示すものである。ここで、２枚重ねは、１平方メートルあたり６０グラムの不織布（以下、生地１）を１枚、１平方メートルあたり４０グラムの不織布（以下生地２）を１枚、合計２枚を重ねたものである。防炎性、引張強さ、保温率について試験結果が出ている。特に、保温率については、３９．２パーセントという結果である。
図１４は、４枚重ねについての試験結果を示すものである。ここで４枚重ねは、生地１、生地２、生地２、生地１の順に重ねたものである。防炎性、引張強さ、保温率について試験結果が出ている。特に、保温率については、５５．９パーセントという結果である。
【００３３】
≪３枚重ねの優位性≫
３枚重ねの保温率は、本願の図６に示すように５９．１パーセントである。図１３と図１４とからわかるように、２枚重ねでは３９．２パーセント、４枚重ねでは、５５．９パーセントという保温率である。
これらのことから、３枚重ねの優位性が示されている。
【００３４】
≪プラスチック製の係合具を用いることによる有利な効果≫
プラスチック製の係合具の代わりに、面ファスナーを用いることが考えられる。しかし、面ファスナーは、繊維くずが付着し、不潔になりやすい。特に、洗濯すると、繊維くずが付着するという問題がある。また、何度もくりかえしつけたり剥がしたりするうちに、係合の力が弱くなる。さらに、雄と雌とが、使用者の意図に反してくっついてしまうことがあり、剥がす労力が余計にかかる場合がある。
それに対し、本願考案において用いるプラスチックの係合具は、清潔な状態を長く保つことができる。洗濯した際に、くずが付着することもない。また、何度も繰返しつけたり外したりしても、係合の力を保つことができる。そして、雄と雌とが使用者の意図に反してくっついてしまうこともない。雄の係合具と雌の係合具とを近づけて使用者が意図的に嵌合する行為を完了することにより、嵌め合うことができるものである。
このように、プラスチック製の係合具は、単に、係合具の一つということ以上に、面ファスナーには、比べて有利な効果を３つほど有するものであるといえます。
【００３５】
災害用備品として、各地方自治体が装備するためには、難燃性は、必須である。本願の考案者（出願人）は、難燃性をクリアし、かつ、毛布として要求される性能を有するもの、自治体における保管に適したものを長年探り求めた結果、不織布のみの三層構造として要求を満たすものの実現を検討し、ついに、難燃性、防炎性能をクリアする構成を見出したものである。
【００３６】
三枚重ねの生地の質量については、軽くて、体積が小さいものほど、扱いやすい。そして、保温率は、大きいほうが望ましい。また、プラスチックの係合具を用いるのに必要な強度が求められる。本考案の考案者は、それらの要求を満たす組合せをようやく得たものである。その結果、シングル布団の大きさのものを構成したときに、４５０グラムの重さという軽い毛布を提供できた。保温率５９％という数値もまた、毛布として申し分ない仕様である。体積を４分の１にできることは、保管する際のスペースを要しないというメリットを有している。
【００３７】
難燃性と防炎性能を有する毛布を構成することは、容易に考え出せるものではない。毛布といえる機能を引き出すためには、ただ単に不織布をつかえばよいというものではなく、それをどのように使うのかについて、高度な創作能力をもってしてこそ、なされるべきものである。
プラスチック係合具を使うことで、清潔性、係合力の長期保持、使用者の意図に反する係合の防止という効果を得られる。そして、２枚重ねや４枚重ねよりは、３枚重ねの構造が有利であることを見出して、３枚重ねの不織布とすることに思い至ったものである。このことは、単なる設計事項ではなく、本願の考案者の高度なひらめきに基づく試行錯誤の成果であって、進歩性を有する考案として保護されるべきものである。
【００３８】
プラスチックの係合具（プラホック）を用いることは、毛布の強度との関係で課題が生じる。毛布に穴をあけて係合具を取り付けることになるが、毛布の強度が不十分だと、なんどもくり返して係合具を取り外しする際に係合具を取り付けた周辺の毛布の部分が裂けてくるという問題があるからである。本願考案では、難燃ポリエステルからなる１平米あたり６０グラムの不織布を表地と裏地にそれぞれ用い、中地として難燃ポリエステルからなる１平米あたり４０グラムの不織布を用いて、３層構造にすることにより、係合具をとりつけるのに十分な強度が得られるとの知見を得て、本考案を完成させたものである。
【００３９】
不織布のみの構成で毛布を実現すること自体、これまで誰もやろうとしなかったことであり、ましてや、プラスチックの係合具を用いるのに十分な強度が得られるとは、誰も想到しなかったことである。それをあえてやってみて使えることを見出したところに本願の考案が実用新案として登録される価値があります。
【符号の説明】
【００４０】
１０，１１  災害用備品
１２  保温材
１３，１４，１５，１６  不織布
１９  へり材
２１，２２，…，２８  雄係合具
２１ａ  雄係合具の頭部分
２１ｂ  雄係合具の尻部分
２１ｃ  雄係合具の嵌合部オス
２１ｄ  雄係合具の嵌合部メス
２１ｅ  係合部オス
３１，３２，…，３８  雌係合具
３１ａ  雌係合具の頭部分
３１ｂ  雌係合具の尻部分
３１ｃ  雌係合具の嵌合部オス
３１ｄ  雌係合具の嵌合部メス
３１ｅ  係合部メス
５０  密封袋
【図１】
0003215746.tif 000003
【図２】
0003215746.tif 000004
【図３】
0003215746.tif 000005
【図４】
0003215746.tif 000006
【図５】
0003215746.tif 000007
【図６】
0003215746.tif 000008
【図７】
0003215746.tif 000009
【図８】
0003215746.tif 000010
【図９】
0003215746.tif 000011
【図１０】
0003215746.tif 000012
【図１１】
0003215746.tif 000013
【図１２】
0003215746.tif 000014
【図１３】
0003215746.tif 000015
【図１４】
0003215746.tif 000016
【手続補正書】
【提出日】平成30年2月7日(2018.2.7)
【手続補正１】
【補正対象書類名】実用新案登録請求の範囲
【補正対象項目名】全文
【補正方法】変更
【補正の内容】
【実用新案登録請求の範囲】
【請求項１】
多層構造の不織布からなるシート状の災害用備品であって、
その周囲に雄係合具と雌係合具の対からなる係合具の、雄係合具と雌係合具とを交互に複数設けたことを特徴とする災害用備品。
【請求項２】
前記災害用備品は、長方形であって、短手方向、長手方向、それぞれについて雄係合具と雌係合具とがそれぞれ同数であることを特徴とする請求項１に記載の災害用備品。
【請求項３】
隣合う前記雄係合具と前記雌係合具との間の間隔が前記短手方向、前記長手方向のそれぞれについて、同一であることを特徴とする請求項２に記載の災害用備品。
【請求項４】
前記災害用備品の表面は、不織布そのものが露出しており、前記多層構造の内側への通気性が良好であることを特徴とする請求項１から請求項３までのいずれか１項に記載の災害用備品。
【請求項５】
前記災害用備品を数回、折り曲げた状態で収納する気密性の袋をさらに有し、空気を抜いた状態で保管することを特徴とする請求項４に記載の災害用備品。
【請求項６】
表地、中地、裏地の３層構造の難燃ポリエステルの不織布からなるシート状の災害用備品であって、
洗濯なし、水洗い洗濯、ドライクリーニングいずれの状態でも防炎性能を有し、
その周囲に雄係合具と雌係合具の対からなるプラスチック製の係合具の、雄係合具と雌係合具とを交互に複数設け、当該災害用備品を二枚上下に重ねた際に前記雄係合具と前記雌係合具とが係合し、当該災害用備品一枚を折って重ねた際にも前記雄係合具と前記雌係合具とが係合するようにしたことを特徴とする災害用備品。
【請求項７】
前記表地と前記裏地は、それぞれが１平方メートルあたり６０グラムの難燃ポリエステルの不織布であり、前記中地は１平方メートルあたり４０グラムの難燃ポリエステルの不織布からなるものであることを特徴とする請求項６に記載の災害用備品。
【請求項８】
前記災害用備品は、１．４メートル×２．０メートルの長方形であって、重さが４５０グラムであり、短手方向、長手方向、それぞれについて雄係合具と雌係合具とがそれぞれ同数であり、
隣合う前記雄係合具と前記雌係合具との間の間隔が前記短手方向、前記長手方向のそれぞれについて、同一であることを特徴とする請求項６又は７のいずれかに記載の災害用備品。
【請求項９】
前記災害用備品の表面は、不織布そのものが露出しており、前記３層構造の内側への通気性が良好であり、保温率が５９％以上であることを特徴とする請求項６から請求項８までのいずれか１項に記載の災害用備品。
【請求項１０】
前記災害用備品を数回、折り曲げた状態で収納する気密性の袋をさらに有し、空気を抜いた状態で体積を４分の１にして保管することを特徴とする請求項９に記載の災害用備品。